【手続補正書】
【提出日】平成22年4月22日(2010.4.22)
【手続補正１】
【補正対象書類名】特許請求の範囲
【補正対象項目名】全文
【補正方法】変更
【補正の内容】
【特許請求の範囲】
【請求項１】
下記式（１）で表される酸化セリウムの付着率（Ａ）が１０％以上４０％以下であることを特徴とする静電荷像現像用トナー。
付着率（Ａ）＝Ｂ／（Ｂ＋Ｃ）×１００      ・・・  式（１）
（上記式（１）において、Ｂは、静電荷像現像用トナーを分散させた分散液に超音波振動（出力６０Ｗ、周波数２０ｋＨｚ）を１５分間作用させトナー表面に浮遊している酸化セリウムを除去した後の、前記静電荷像現像用トナーに付着している酸化セリウムの質量を、Ｃは、上記の方法によって除去された酸化セリウムの質量を表す。）
【請求項２】
前記酸化セリウムの付着率（Ａ）が１５％以上３５％以下であることを特徴とする請求項１に記載の静電荷像現像用トナー。
【請求項３】
前記酸化セリウムの付着率（Ａ）が２０％以上３０％以下であることを特徴とする請求項１に記載の静電荷像現像用トナー。
【請求項４】
トナー母粒子をトナーカートリッジへ充填する際に、該トナー母粒子に酸化セリウムを添加する酸化セリウム添加工程を経て請求項１〜請求項３のいずれか１項に記載の静電荷像現像用トナーを作製することを特徴とする静電荷像現像用トナーの製造方法。
【請求項５】
少なくともトナーを含み、該トナーが請求項１〜請求項３のいずれか１項に記載の静電荷像現像用トナーであることを特徴とする静電荷像現像剤。
【請求項６】
少なくともトナーが収容され、該トナーが請求項１〜請求項３のいずれか１項に記載の静電荷像現像用トナーであることを特徴とするトナーカートリッジ。
【請求項７】
少なくとも現像剤保持体を備え、請求項５に記載の静電荷像現像剤を収容することを特徴とするプロセスカートリッジ。
【請求項８】
潜像保持体と、該潜像保持体上に形成された静電潜像を請求項１〜請求項３の何れか１項に記載の静電荷像現像用トナーによりトナー像として現像する現像手段と、潜像保持体上に形成されたトナー像を被転写体上に転写する転写手段と、潜像保持体を清掃用ブレードを押し当て転写残留成分を清掃する清掃手段と、を有することを特徴とする画像形成装置。
【請求項９】
前記潜像保持体と清掃用ブレードとの接触部に前記転写残留成分が堆積し、堆積した該転写残留成分中における酸化セリウムの含有濃度が５質量％以上２５質量％以下であることを特徴とする請求項８に記載の画像形成装置。
【請求項１０】
前記堆積した転写残留成分中における酸化セリウムの含有濃度が６質量％以上２０質量％以下であることを特徴とする請求項９に記載の画像形成装置。
【請求項１１】
前記堆積した転写残留成分中における酸化セリウムの含有濃度が７質量％以上１５質量％以下であることを特徴とする請求項９に記載の画像形成装置。
【手続補正２】
【補正対象書類名】明細書
【補正対象項目名】０００５
【補正方法】変更
【補正の内容】
【０００５】
ところで、潜像保持体における磨耗の発生は、まず帯電装置での放電によって潜像保持体の表面層が劣化して表面粗さが増加し、当該箇所が清掃用ブレードの押し当てによって削れて磨耗が発生する。その際、潜像保持体と清掃用ブレードとの接触部にはトナーや清掃用助剤、トナーに外添した無機粒子等が堆積しており、磨耗の度合い、場所毎の磨耗の偏り（潜像保持体の軸方向における磨耗の偏り）に影響を与えている。特に、研磨剤などの潜像保持体表面よりも高硬度な粒子の存在が、磨耗に影響を与える重要な因子である。つまり、上記研磨剤を場所による偏りがない状態で接触部に存在させるよう制御することが、磨耗の偏り（偏磨耗）の抑制に好適であることが判明した。
しかし、従来トナー中に添加されていた酸化セリウム等の研磨剤はトナーとの付着力が強く、画像が形成される領域（画像部）には酸化セリウムが存在するものの、画像が形成されない領域（非画像部）には酸化セリウムが存在せず、結果として潜像保持体と清掃用ブレードとの接触部における酸化セリウムの存在状態が、形成される画像パターン（画像密度）に依存し、研磨剤としての酸化セリウムの偏りを制御することが困難であった。
【手続補正３】
【補正対象書類名】明細書
【補正対象項目名】０００７
【補正方法】変更
【補正の内容】
【０００７】
上記課題は、以下の本発明により達成される。
すなわち請求項１に係る発明は、下記式（１）で表される酸化セリウムの付着率（Ａ）が１０％以上４０％以下である静電荷像現像用トナーである。
付着率（Ａ）＝Ｂ／（Ｂ＋Ｃ）×１００      ・・・  式（１）
（上記式（１）において、Ｂは、静電荷像現像用トナーを分散させた分散液に超音波振動（出力６０Ｗ、周波数２０ｋＨｚ）を１５分間作用させトナー表面に浮遊している酸化セリウムを除去した後の、前記静電荷像現像用トナーに付着している酸化セリウムの質量を、Ｃは、上記の方法によって除去された酸化セリウムの質量を表す。）
【手続補正４】
【補正対象書類名】明細書
【補正対象項目名】０００８
【補正方法】変更
【補正の内容】
【０００８】
請求項２に係る発明は、請求項１に記載の酸化セリウムの付着率（Ａ）が１５％以上３５％以下である静電荷像現像用トナーである。
【手続補正５】
【補正対象書類名】明細書
【補正対象項目名】０００９
【補正方法】変更
【補正の内容】
【０００９】
請求項３に係る発明は、請求項１に記載の酸化セリウムの付着率（Ａ）が２０％以上３０％以下である静電荷像現像用トナーである。
【手続補正６】
【補正対象書類名】明細書
【補正対象項目名】００１０
【補正方法】変更
【補正の内容】
【００１０】
請求項４に係る発明は、トナー母粒子をトナーカートリッジへ充填する際に、該トナー母粒子に酸化セリウムを添加する酸化セリウム添加工程を経て請求項１〜請求項３のいずれか１項に記載の静電荷像現像用トナーを作製する静電荷像現像用トナーの製造方法である。
【手続補正７】
【補正対象書類名】明細書
【補正対象項目名】００１５
【補正方法】変更
【補正の内容】
【００１５】
請求項９に係る発明は、請求項８に記載の潜像保持体と清掃用ブレードとの接触部に前記転写残留成分が堆積し、堆積した該転写残留成分中における酸化セリウムの含有濃度が５質量％以上２５質量％以下である画像形成装置である。
【手続補正８】
【補正対象書類名】明細書
【補正対象項目名】００１６
【補正方法】変更
【補正の内容】
【００１６】
請求項１０に係る発明は、請求項９に記載の堆積した転写残留成分中における酸化セリウムの含有濃度が６質量％以上２０質量％以下である画像形成装置である。
【手続補正９】
【補正対象書類名】明細書
【補正対象項目名】００１７
【補正方法】変更
【補正の内容】
【００１７】
請求項１１に係る発明は、請求項９に記載の堆積した転写残留成分中における酸化セリウムの含有濃度が７質量％以上１５質量％以下である画像形成装置である。
【手続補正１０】
【補正対象書類名】明細書
【補正対象項目名】００２２
【補正方法】削除
【補正の内容】
【手続補正１１】
【補正対象書類名】明細書
【補正対象項目名】００２９
【補正方法】変更
【補正の内容】
【００２９】
＜静電荷像現像用トナー＞
本発明の静電荷像現像用トナーは、下記式（１）で表される酸化セリウム（以下本明細書においては“酸化セリウム”を単に「研磨剤」と称し、且つその他の研磨剤を「その他研磨剤」と称す。）の付着率（Ａ）が１０％以上４０％以下であることを特徴とする。
付着率（Ａ）＝Ｂ／（Ｂ＋Ｃ）×１００      ・・・  式（１）
（上記式（１）において、Ｂは、静電荷像現像用トナーを分散させた分散液に超音波振動（出力６０Ｗ、周波数２０ｋＨｚ）を１５分間作用させトナー表面に浮遊している研磨剤を除去した後の、前記静電荷像現像用トナーに付着している研磨剤の質量を、Ｃは、上記の方法によって除去された研磨剤の質量を表す。）
【手続補正１２】
【補正対象書類名】明細書
【補正対象項目名】００３６
【補正方法】変更
【補正の内容】
【００３６】
＜静電荷像現像用トナーの製造方法＞
本発明のトナーの製造方法は、トナー母粒子をトナーカートリッジへ充填する際に、該トナー母粒子に研磨剤（酸化セリウム）を添加する研磨剤（酸化セリウム）添加工程を有することを特徴とする。トナー母粒子をトナーカートリッジに充填する際に研磨剤を添加することにより、トナー中における浮遊研磨剤の量を制御することができる。
また、トナー中における付着研磨剤の量を制御する観点から、上記研磨剤添加工程と併わせて、トナー母粒子を作製した後であって該トナー母粒子をトナーカートリッジへ充填する前に研磨剤を添加・攪拌する工程を設けることができる。尚、以下においては、トナー母粒子を作製した後であって該トナー母粒子をトナーカートリッジへ充填する前に研磨剤を添加・攪拌する工程を「第１の研磨剤添加工程」と、トナー母粒子をトナーカートリッジへ充填する際に該トナー母粒子に研磨剤を添加する工程を「第２の研磨剤添加工程」と称す。
【手続補正１３】
【補正対象書類名】明細書
【補正対象項目名】００４９
【補正方法】変更
【補正の内容】
【００４９】
上記トナーには研磨剤、即ち酸化セリウムが少なくとも添加（外添）される。また、該酸化セリウムと併用されるその他研磨剤としては、例えば、チタン酸ストロンチウム、酸化マグネシウム、アルミナ、炭化ケイ素、酸化亜鉛、シリカ、酸化チタン、窒化ホウ素、ピロリン酸カルシウム、ジルコニア、チタン酸バリウム、チタン酸カルシウム、炭酸カルシウムなどの無機粒子が挙げられる。またこれらの複合材料を用いてもよい。
【手続補正１４】
【補正対象書類名】明細書
【補正対象項目名】００５０
【補正方法】変更
【補正の内容】
【００５０】
また、上記研磨剤（酸化セリウム）や上記その他研磨剤の粒子（以下、研磨剤（酸化セリウム）の粒子とその他研磨剤の粒子とを併せて単に「研磨剤粒子」と称す。）には、テトラブチルチタネート、テトラオクチルチタネート、イソプロピルトリイソステアロイルチタネート、イソプロピルトリデシルベンゼンスルフォニルチタネート、ビス（ジオクチルパイロフォスフェート）オキシアセテートチタネートなどのチタンカップリング剤、γ−（２−アミノエチル）アミノプロピルトリメトキシシラン、γ−（２−アミノエチル）アミノプロピルメチルジメトキシシラン、γ−メタクリロキシプロピルトリメトキシシラン、Ｎ−β−（Ｎ−ビニルベンジルアミノエチル）γ−アミノプロピルトリメトキシシラン塩酸塩、ヘキサメチルジシラザン、メチルトリメトキシシラン、ブチルトリメトキシシラン、イソブチルトリメトキシシラン、ヘキシルトエリメトキシシラン、オクチルトリメトキシシラン、デシルトリメトキシシラン、ドデシルトリメトキシシラン、フェニルトリメトキシシラン、ｏ−メチルフェニルトリメトキシシラン、ｐ−メチルフェニルトリメトキシシラン等のシランカップリング剤などで処理を行ってもよい。また、シリコーンオイル、ステアリン酸アルミニウム、ステアリン酸亜鉛、ステアリン酸カルシウム等の高級脂肪酸金属塩による疎水化処理も好ましく行うことができる。
また研磨剤粒子には、トナー母粒子と混合する前に、加熱、粉砕、分級などの処理を行ことができる。
【手続補正１５】
【補正対象書類名】明細書
【補正対象項目名】００５６
【補正方法】変更
【補正の内容】
【００５６】
第２の研磨剤添加工程では研磨剤（酸化セリウム）が添加され、また前記第１の研磨剤添加工程に用い得る前記その他研磨剤を、研磨剤（酸化セリウム）と併用して使用することができる。
【手続補正１６】
【補正対象書類名】明細書
【補正対象項目名】０１１１
【補正方法】変更
【補正の内容】
【０１１１】
＜参考例１〜２および参考比較例１〜２＞
第１の研磨剤添加工程および第２の研磨剤添加工程において用いる研磨剤（酸化セリウム）を窒化ホウ素（個数平均一次径０．３μｍ）に変更し、且つ各添加工程における窒化ホウ素の添加量を、下記表３に記載の通り変更した以外、前記比較例１に記載の方法によりトナーカートリッジに現像剤を充填し、各物性の測定・算出を行った。
【手続補正１７】
【補正対象書類名】明細書
【補正対象項目名】０１１２
【補正方法】変更
【補正の内容】
【０１１２】
【表３】
2008268753.tif 000001
【手続補正１８】
【補正対象書類名】明細書
【補正対象項目名】０１１３
【補正方法】変更
【補正の内容】
【０１１３】
【表４】
2008268753.tif 000002